(57)【要約】      （修正有）【課題】被検者である子供や老人が自身で容易に測定終了を知ることができる、測定終了報知手段を有する電子体温計を提供する。【解決手段】筺体２の先端部にサーミスター１を備え、筺体２の頂部にスライド自在のスイッチ本体４を備え、スイッチ本体４にレンズ付ＬＥＤ４４を備えてなる電子体温計において、サーミスター１で測定した温度情報を温度検出制御回路部５を通じて、筺体２の側部のＬＣＤ表示部３に表示すると共に、温度検出制御回路部５にて測定終了を検知して、バッテリー６の電源をレンズ付ＬＥＤ４４に供給し、筺体２の頂部より発光させて、検者または被検者に対する測定終了報知手段とする。レンズ付ＬＥＤ４４がスイッチ本体４の中央に一体的に設けられ、レンズ４３が透明性プラスチックで構成されており、検者または被検者が容易に目視可能にする。【選択図】図２
0003200636.tif 000002
【実用新案登録請求の範囲】
【請求項１】
筺体先端部にサーミスターを備え、該筺体頂部にスライド自在のスイッチ本体を備え、該スイッチ本体にレンズ付ＬＥＤを備えてなる電子体温計において、該サーミスターで測定した温度情報を温度検出制御回路部を通じて、筺体側部のＬＣＤ表示部に表示すると共に、該温度検出制御回路部にて測定終了を検知して、ボタン電池の電源をレンズ付ＬＥＤに供給し、筺体頂部より発光させて、使用者に対する測定終了報知手段としたことを特徴とする測定終了報知手段を有する電子体温計。
【請求項２】
レンズ付ＬＥＤがスイッチ本体中央に一体的に設けられており、該レンズが透明性プラスチックで構成されており、使用者が容易に目視可能に構成されていることを特徴とする請求項１記載の測定終了報知手段を有する電子体温計。
【考案の詳細な説明】
【技術分野】
【０００１】  本考案は、電子体温計に関し、特に測定終了報知手段を有する電子体温計に関するものである。
【背景技術】
【０００２】  従来は水銀やアルコール等の測定媒体を細管に封入し体温の測定を行うものが使用されていたが、破損の危険性や破損による測定媒体の流出等の問題があり、このような体温計に代わり、温度センサーや電子回路等により体温の測定が容易にできる電子体温計が一般的に使用されている。【０００３】  これらの電子体温計では、筺体の内部にサーミスター等の温度センサー、温度検出部、表示パネル、バッテリー等が収容されている。【０００４】  しかしながら、一般家庭で幼児や老人等の体温を測定する場合には、測定方法が不慣れのために、測定が完成したか否かが不明確であって、正確な体温測定ができない場合があった。
【先行技術文献】
【特許文献】
【０００５】
【特許文献１】  特開２０１３−１３４２２４号公報
【特許文献２】  特開２０１０−２７６５９０号公報
【特許文献３】  登録実用新案第３０４６６１２号公報
【考案の概要】
【考案が解決しようとする課題】
【０００６】  前記せる特開２０１３−１３４２２４号公報では、端部に設けたサーミスタの抵抗変化に基づき被験者の体温を測定し、表示部に測定結果を表示する制御手段を有することを基本とする電子温度計に関するものであり、体温測定修了を判断した場合は電源部をＯＦＦにする構成であったが、特に体温測定修了を明確に表示するためにレンズ付ＬＥＤを用いるものではなかった。【０００７】  また、前記せる特開２０１０−２７６５９０号公報では、海外からの渡航者の体温チェックが必要な場合に、到着時に外耳道に容易に装着しやすい電子体温計であって、検疫所でこの体温計のチェックができるようにして高熱状態の渡航者のチェックを行うものであったが、体温測定修了を明確に表示するためにレンズ付ＬＥＤを用いるものではなかった。【０００８】  また、前記せる登録実用新案第３０４６６１２号公報では、温度センサーから温度に対応した大きさの信号を温度検出部に出力し、該温度検出部は温度センサーからの信号に対応した温度を表示パネルに出力するものであったが、体温測定修了を明確に表示するためにレンズ付ＬＥＤを用いるものではなかった。【０００９】  これに対し、本考案の測定終了報知手段を有する電子体温計は、レンズ付ＬＥＤを体温計筺体の頂部に設けて測定終了報知手段としたものであり、被検者である子供や老人が自身で容易に測定終了を知ることができるものである。【００１０】  または、病院などで大勢の患者の体温を測定する際に担当のナース等が使用しやすく効率の良い測定をすることができるものである。
【課題を解決するための手段】
【００１１】  筺体２の先端部にサーミスター１を備え、該筺体２の頂部にスライド自在のスイッチ本体４を備え、該スイッチ本体４にレンズ付ＬＥＤ４４を備えてなる電子体温計において、該サーミスター１で測定した温度情報を温度検出制御回路部５を通じて、筺体側部のＬＣＤ表示部３に表示すると共に、該温度検出制御回路部５にて測温終了を検知して、バッテリー６の電源をレンズ付ＬＥＤ４４に供給し、筺体頂部より発光させて、使用者に対する測定終了報知手段としたことを特徴とする電子体温計であり、レンズ付ＬＥＤ４４がスイッチ本体４の中央に一体的に設けられ、レンズ４３が透明性プラスチックで構成されており、検者または被検者が容易に目視可能に構成されていることを特徴とする測定終了報知手段を有する電子体温計を提供するものである。【００１２】  また、サーミスター１からの信号に対応した体温表示を行うためにＬＣＤ表示部３に出力を行う温度検出制御回路部５は、公知の電子回路から構成され、また、温度検出制御回路部５が測定終了を検知する機能も公知の電子回路から構成される。【００１３】  ＬＣＤ表示部３は、ｌｉｑｕｉｄ  ｃｒｙｓｔａｌ  ｄｉｓｐｌａｙから構成されており、温度検出制御回路部５から出力される信号に基づいて、対応する被検者の体温を表示する。
【考案の効果】
【００１４】  本考案によれば、体温測定終了後にレンズ付ＬＥＤ（ｌｉｇｈｔ  ｅｍｉｔｔｉｎｇ  ｄｉｏｄｅ）４４より発光する光が外部より見やすいので、検者または被検者が容易に体温の測定終了を知ることができるので、例えば一般家庭で、乳幼児や幼児の体温を測定する場合、検者が家族の一員であっても確実に体温を測定することができる。【００１５】  また、病院などで大勢の患者の体温を測定する際に担当のナース等が使用しやすく、効率の良い測定をすることができる。
【図面の簡単な説明】
【００１６】
【図１】  本考案の測定終了報知手段を有する電子体温計の平面図である。
【図２】  本考案の測定終了報知手段を有する電子体温計の断面略示図である。
【図３】  本考案の測定終了報知手段を有する電子体温計の部分断面の斜視図である。
【考案を実施するための形態】
【００１７】  筺体２の先端部にサーミスター１を備え、該筺体２の他端の頂部にスライド自在のスイッチ本体４を備え、該スイッチ本体４にレンズ付ＬＥＤ４４を備えてなる電子体温計において、該サーミスター１で測定した温度情報を温度検出制御回路部５を通じて、筺体側部のＬＣＤ表示部３に表示すると共に、該温度検出制御回路部５にて測定終了を検知して、バッテリー６の電源をレンズ付ＬＥＤ４４に供給し、筺体頂部より発光させて、使用者に対する測定終了報知手段とした電子体温計であり、レンズ付ＬＥＤ４４がスイッチ本体４の中央に一体的に設けられ、レンズ４３が透明性プラスチックで構成されており、検者又は被検者にとって容易に測定終了が目視可能に構成されている測定終了報知手段を有する電子体温計である。
【００１８】  図２乃至図３に示すように、スイッチ本体４の外周には一体的にフランジ部４１が形成されており、該フランジ部４１はバネ材４２によって上方へ付勢されている。
【００１９】  スイッチ本体４は電源ＯＮ／ＯＦＦスイッチであり、１回の押圧でＯＮとなり、再度の押圧でＯＦＦとなるように構成されている。
【符号の説明】
【００２０】  １  サーミスター
２  筺体
３  ＬＣＤ表示部
４  スイッチ本体
４１  フランジ部
４２  バネ材
４３  レンズ
４４  レンズ付ＬＥＤ
５  温度検出制御回路部
５１  導体
６  バッテリー
【図１】
0003200636.tif 000003
【図２】
0003200636.tif 000004
【図３】
0003200636.tif 000005